(57)【要約】  【課題】  葉体の表面に結氷の反射光、透明で奇麗な屈折光の効果を作り出す結氷状葉体構造を提供する。特に、クリスマスツリーの葉に結氷効果を表し、冬感覚を作り出す。  【解決手段】  分枝を持つ葉柄１と、葉柄１の表面に設けられた多数の透明結晶状の小顆粒２とを備え、これらの小顆粒２は群集及び分散形式で集結され、光線の照射により、光の反射及び透入後の屈折効果と、さらに光線が小顆粒を透過する時の散乱により、結氷状の形を作り出す。【選択図】  図１
0003113881.tif 000002
【実用新案登録請求の範囲】
【請求項１】
枝を分ける葉柄と、前記葉柄の表面に設けられた多数の透明結晶状の小顆粒とを備え、
前記小顆粒は群集及び分散形式で集結され、光線の照射により、光の反射及び透入後の屈折効果を発生し、前記葉柄の表面に結氷状の形を作り出すことを特徴とする結氷状葉体構造。
【請求項２】
葉柄は主葉柄及び数本の分枝葉柄を有し、前記主葉柄は内層の可撓性骨材とその表面に巻き付けられた白色の線とにより組み立てられ、前記分枝葉柄は内層が可撓性骨材でその表面に白色の樹脂層が結合され、前記樹脂層の表面から前記分枝葉柄と略同様の材質かつ形状の数本の分枝芽が枝芽のように延伸され、その底端が白色の線によって主葉柄に巻き付けて結合される請求項１に記載の結氷状葉体構造。
【請求項３】
小顆粒は樹脂顆粒で、長さ３ｃｍ、巾２ｃｍの透明の硬質プラスチックにより形成される請求項１又は２に記載の結氷状葉体構造。
【請求項４】
葉柄と小顆粒は透明のプラスチックにより一体成形される請求項１又は２に記載の結氷状葉体構造。
【請求項５】
葉柄と小顆粒からなる数本の葉体が中央部の幹に結合されて樹体を構成する請求項１乃至４のいずれかに記載の結氷状葉体構造。
【考案の詳細な説明】
【技術分野】
【０００１】
本考案は、クリスマスツリーの飾り及び観賞用のクリスマスツリーの葉っぱに有用な結氷状葉体構造に関する。
【背景技術】
【０００２】
クリスマスツリーはクリスマスには欠かせない飾りで、クリスマスの装飾効果を発揮する。またクリスマスツリーはクリスマスの飾り効果の他に、冬の季節感など冬感覚を表現する効果や、お正月の雰囲気を作り出す効果などがある。
【０００３】
一般に人工のクリスマスツリーの場合、葉体が緑色のプラスチック材料で成型され、幹に組み立てられる。葉体には例えば人形・玩具・キャンディー及ランプの飾り等数多くの飾り品が掛けられる。また、冬季の寒冷感覚を表現する場合、葉体が白色のプラスチック材料で成型されて製作されたり、また葉体の表面にポリホルムがスプレーされたり、ポリロンの小顆粒が貼り付けられたりして、降り積もる雪の寒冷感覚が作り出される。この種のクリスマスツリーが、例えば、特許文献１に記載されている。
【特許文献１】実登３０７６２０９公報
【考案の開示】
【考案が解決しようとする課題】
【０００４】
しかしながら、従来のクリスマスツリーでは、葉体を白色のプラスチック材質で製作して、樹体を組み立てたり、或いは葉体にポリロンの小顆粒を貼り付けたりして、葉体の表面に降雪しているような白色の様相を呈することで、葉体の表面に降雪（積雪）の寒冷感覚を作り出しているが、このような葉体構造では葉体の表面に結氷の反射効果、透明で奇麗な屈折光線が得られず、結氷形態を表現することができないという問題がある。
【０００５】
本考案は、このような従来の課題に鑑みなされたもので、葉体の表面に結氷の反射光、透明で奇麗な屈折光の効果を作り出す結氷状葉体構造を提供すること、特に、クリスマスツリーの葉に結氷効果を表し、冬感覚を作り出すこと、を目的とする。
【課題を解決するための手段】
【０００６】
上記課題を解決するために、請求項１に係る考案の結氷状葉体構造は、枝を分ける葉柄の表面に、数多くの透明結晶状の小顆粒があって、小顆粒は群集及び分散方式で集結し、また、この小顆粒は光線に照射されると、反射及び透入後の屈折効果を産生し、結氷状の形態になることを特徴とする。また、請求項２に係る考案の結氷状葉体構造は、葉柄は主葉柄及び数本の分枝葉柄より組み立てられ、主葉柄の内層は可撓性骨材及び表面にぐるぐる巻き付ける白色の線より組み立てられ、分枝葉柄の内層は可撓性骨材の表面にある白色の樹脂層と結合し、樹脂層の表面から数本の同材質かつ形状が枝芽のような分枝芽が延伸し、その分枝芽の底端は巻き付ける白色の線によって、主葉柄に巻きつけて結合している。さらに、請求項３に係る考案の結氷状葉体構造は、小顆粒は長さ３センチ、巾２センチの透明状硬質プラスチック樹脂顆粒である。またさらに、請求項４に係る考案の結氷状葉体構造は、小顆粒とプラスチックの葉体は透明状のプラスチックによって、一体成形できる。またさらに、請求項５に係る考案の結氷状葉体構造は、数本の結氷状葉体は中央部の幹と結合して樹体になる。
【考案の効果】
【０００７】
本考案の結氷状葉体構造は、上記各構成により、次のような効果を奏する。すなわち、請求項１の構成により、透明結晶状の小顆粒が光線に照射されると、光の反射及び透入後の屈折効果により、さらに光線が小顆粒を透過する時の散乱により、葉体の表面に結氷状の感覚（視覚効果）が得られる。この葉体構造により、クリスマスツリーの葉に結氷効果を表し、冬感覚を作り出すことができる。また、請求項２の構成により、葉柄の分枝葉柄は小顆粒と結合した後、分枝柄と主葉柄を組合せることより、製作と組合せに役立つ。さらに、請求項３の構成により、小顆粒は長さ３センチ、巾２センチの透明状硬質プラスチック樹脂顆粒であるので、実施すると、良い透明及び分枝柄の結合効果が得られる。またさらに、請求項４の構成により、小顆粒とプラスチックの葉体は透明状のプラスチックによって、一体成形で製造すると、快速生産の目的が達成される。またさらに、請求項５の構成により、数本の結氷状葉体は中央部の幹と結合して樹体になることより、クリスマスツリーのような実施体になる。
【考案を実施するための最良の形態】
【０００８】
まず、本考案の第１の実施の形態について図面を参照しながら説明する。図１は第１の実施の形態における結氷状葉体構造による葉体の外観図であり、図２は葉体の特に葉柄の外観図、図３は葉体の部分拡大断面図である。
【０００９】
図１に示すように、葉体１０は一つの葉柄１及びその表面に設けられた数多くの透明結晶状の小顆粒２により組み立てられる。葉柄１の構造は図２に示すとおりで、主葉柄１ａ及び数本の分枝葉柄１ｂにより組み立てられる。この場合、主葉柄１ａの内層は鉄線１１（可撓性骨材）でその表面に白色の線１ｃをぐるぐる巻き付けて組み立てられる。また、分枝葉柄１ｂの内層は鉄線１１で、その表面に白色の樹脂層１２が結合され、さらに樹脂層１２の表面から分枝葉柄１ｂと同じ材質でかつ形状の数本の分枝芽１３が枝芽のように延伸される。分枝葉柄１ｂ及び分枝芽１３は表面に小顆粒２が結合されてから、分枝葉柄１ｂの底端が白色の線１ｃによって、主葉柄１ａに巻き付けられて結合される。一方、小顆粒２は樹脂顆粒で、その表面には角或いは円弧面或いは多角度の平面等を有する。この小顆粒２は長さ３ｃｍ、巾２ｃｍの透明状の硬質プラスチックにより形成されることが望ましい。この場合、小顆粒基材のプラスチックを先に巾２ｃｍの線状に製作してから、長さ３ｃｍごとに切断すればよい。なお、この小顆粒２は、長さ３ｃｍ、巾２ｃｍに限定されるものではないが、サイズが小さ過ぎると光線の屈折に影響し、サイズが大き過ぎると結合強度に影響があるため、長さ３ｃｍ、巾２ｃｍは最適なサイズの一つである。このようにして多数の小顆粒２が葉柄１の表面に群集及び分散形式に集結される。この場合、小顆粒２は、図３に示すように、分枝葉柄１ｂの樹脂層１２或いは分枝芽１３に粘着される。
【００１０】
このようにして葉体１０が構成され、小顆粒２の表面の角或いは円弧面或いは多角度の平面等により、光線に対する反射作用を有し、また光線が小顆粒２を透入後、屈折現象を発生する機能を備える。したがって、葉体１０に光線が照射されると、小顆粒２により光の反射及び透入後の屈折効果により、さらに光線が小顆粒２を透過する時の散乱により、葉体１の表面に結氷状の形が作り出される。この場合、葉体１０の表面には多数の小顆粒２が散らばっているので、これらが太陽光線に照射されている小氷塊のような視覚効果が得られる。
【００１１】
このように第１の実施の形態によれば、枝を分ける葉柄１の表面に多数の透明結晶状の小顆粒２を群集及び分散形式に集結し、光線の照射により、光の反射及び透入後の屈折効果を生ぜしめ、結氷状の形を作り出すようにしているので、葉体１０に光線を照射することで、葉体１０の表面に結氷状の感覚（視覚効果）を得ることができる。また、特に、葉柄１を主葉柄１ａ及び数本の分枝葉柄１ｂとにより組み立てているので、葉柄１の分枝葉柄１ｂに小顆粒２を結合した後、主葉柄１ａと分枝葉柄１ｂとを組合せることができ、葉柄１と小顆粒２の組み立てを容易かつ効率良く行え、葉体１０の製作に役立てることができる。さらに、小顆粒２を長さ３センチ、巾２センチの透明状の硬質プラスチックで形成しているので、優れた透明効果を得ることができ、また、葉柄１に良好に結合することができる。この場合、小顆粒２を分枝芽１ｂの樹脂層１２或いは分枝芽１３に粘着するので、取れにくいという利点もある。
【００１２】
次に、本考案の第２の実施の形態について図面を参照しながら説明する。図４は第２の実施の形態における結氷状葉体構造の部分拡大断面図である。この実施の形態では、葉体の葉柄１の表面に結合する小顆粒２の結合形式が第１の実施の形態と異なる。この実施の形態の場合、図４に示すように、葉柄１は、（第１の実施の形態のように）鉄線１１と樹脂層１２とにより形成されるのに代えて、葉柄１全体が針状に一体に形成され、この葉柄１にさらに小顆粒２が一体化される。この場合、葉体は一体射出成形或いはモールド成型技術を利用して製造され、針状の葉柄１と小顆粒２が透明状のプラスチックによって一体成形される。このようにして針状の葉柄１の表面に凸凹の小顆粒２が設けられるので、これらの小顆粒２に光線が照射されると、第１の実施の形態と同様に、反射と透入後の屈折効果が得られる。このようにしても第１の実施の形態と同様の作用、効果を奏することができ、特に、葉柄１と小顆粒２が透明状のプラスチックにより一体成形されるので、生産性の向上を図り、葉体を迅速に生産することができる。
【００１３】
図５に本考案による葉体１０により構成された樹体（クリスマスツリー）を例示している。この樹体は葉柄１と多数の小顆粒２からなる数本の葉体１０を中央部の幹３に結合して構成される。この場合、第１、第２の実施の形態で説明した葉体１０を同時に白色の幹３に組み立てることにより、結氷状のクリスマスツリーの造形が得られる。太陽光線或いは明りが小顆粒２に照射されると、氷雪のような光線反射と透入後の屈折効果が生じ、クリスマスツリーの葉に結氷効果を表すことができ、寒冷な冬の季節感など冬感覚を作り出すことができる。
【図面の簡単な説明】
【００１４】
【図１】本考案の第１の実施の形態における結氷状葉体構造による葉体の外観図
【図２】同葉体の葉柄の外観図
【図３】同葉体の部分拡大断面図
【図４】本考案の第２の実施の形態における結氷状葉体構造の部分拡大断面図
【図５】本考案の第１、第２の実施の形態における結氷状葉体構造による葉体により構成された樹体（クリスマスツリー）の正面図
【符号の説明】
【００１５】
１０  葉体
１  葉柄
１ａ  主葉柄
１ｂ  分枝葉柄
１ｃ  白色の線
１１  鉄線
１２  樹脂層
１３  分枝芽
２  小顆粒
３  幹
【図１】
0003113881.tif 000003
【図２】
0003113881.tif 000004
【図３】
0003113881.tif 000005
【図４】
0003113881.tif 000006
【図５】
0003113881.tif 000007